(57)【要約】  実施例において装置は、アンテナに選択的に接続され、少なくとも２つの帯域からなるグループ内の無線周波数通信信号を送受信するように構成されたチューナブルデュプレクサと、グループの少なくとも２つの帯域にそれぞれ対応して該帯域を通過させる、少なくとも２つのインダクタンス値と略整合するインダクタンス値を持つように調整することができる、デュプレクサ内のチューナブル送信フィルタであって、グループ内の少なくとも２つの帯域のそれぞれが正のデュプレックスオフセットを有し、グループ内の少なくとも２つの帯域にそれぞれ対応する少なくとも２つのインダクタンス値のそれぞれが、グループ内のその他の帯域にそれぞれ対応するインダクタンス値に略整合するインダクタンス値を有する、チューナブル送信フィルタとを含む。【選択図】図１Ａ
2016523064.tif 000002
【特許請求の範囲】
【請求項１】
アンテナ（３０）に選択的に接続され、少なくとも２つの帯域からなるグループ内の無線周波数通信信号を送受信するように構成された、チューナブルデュプレクサ（４０）と、
前記グループ（Ｇ１）の前記少なくとも２つの帯域（Ｂ１、Ｂ２）にそれぞれ対応して該帯域を通過させる、少なくとも２つのインダクタンス値（Ｌ１、Ｌ２）と略整合するインダクタンス値を持つように調整することができる、前記デュプレクサ内のチューナブル送信フィルタ（４０Ｔｘ）であって、前記グループ内の前記少なくとも２つの帯域のそれぞれが正のデュプレックスオフセットを有し、前記グループ内の前記少なくとも２つの帯域にそれぞれ対応する前記少なくとも２つのインダクタンス値のそれぞれが、前記グループ内のその他の帯域にそれぞれ対応するインダクタンス値に略整合するインダクタンス値を有する、チューナブル送信フィルタ（４０Ｔｘ）と、
を備える装置。
【請求項２】
前記グループの前記少なくとも２つの帯域の受信周波数信号にそれぞれ対応して該受信周波数信号を通過させる、少なくとも２つのインダクタンス値と略整合するインダクタンス値を持つように調整することができる、前記デュプレクサ内のチューナブル受信フィルタ（４０Ｒｘ）をさらに備える、請求項１に記載の装置。
【請求項３】
前記アンテナに選択的に接続され、少なくとも２つの帯域（Ｂ９、Ｂ１１、Ｂ２１およびＢ２３）からなる第２のグループ（Ｇ２）の無線周波数通信信号を送受信するように構成された、第２のチューナブルデュプレクサ（４２）であって、前記第２のグループの前記少なくとも２つの帯域にそれぞれ対応して該帯域を通過させる、少なくとも２つのインダクタンス値（Ｌ９、Ｌ１１）と略整合するインダクタンス値を持つように調整することができる、チューナブル送信フィルタ（４２Ｔｘ）を含み、前記第２のグループの前記少なくとも２つの帯域のそれぞれが正のデュプレックスオフセットを有し、前記第２のグループの前記少なくとも２つの帯域にそれぞれ対応する前記少なくとも２つのインダクタンス値のそれぞれが、前記第１のグループ（Ｇ１）の前記インダクタンス値より高いインダクタンス値を有し、前記第２のグループ内のその他の帯域にそれぞれの対応するインダクタンス値に略整合する、第２のチューナブルデュプレクサ（４２）をさらに備える、請求項１に記載の装置。
【請求項４】
前記第２のグループの前記少なくとも２つの帯域の受信周波数信号にそれぞれ対応して該受信周波数信号を通過させる、少なくとも２つのインダクタンス値と略整合するインダクタンス値を持つように調整することができる、前記第２のデュプレクサ内のチューナブル受信フィルタ（４２Ｒｘ）をさらに備える、請求項３に記載の装置。
【請求項５】
前記アンテナに選択的に接続され、負のデュプレックスオフセットを有する少なくとも２つの帯域（Ｂ６、Ｂ１２）からなる第３のグループ（Ｇ３）内の無線周波数通信信号を送受信するように構成された、第３のチューナブルデュプレクサ（４４）をさらに備える、請求項３に記載の装置。
【請求項６】
前記第３のグループの前記少なくとも２つの帯域にそれぞれ対応して該帯域を通過させる、少なくとも２つのインダクタンス値（Ｌ６、Ｌ１２）と略整合するインダクタンス値を持つように調整することができる、前記第３のデュプレクサ内のチューナブル送信フィルタ（４４Ｔｘ）と、
前記第３のグループの前記少なくとも２つの帯域の受信周波数信号にそれぞれ対応して該受信周波数信号を通過させる、少なくとも２つのインダクタンス値（Ｌ６、Ｌ１２）と略整合するインダクタンス値を持つように調整することができる、前記第３のデュプレクサ内のチューナブル受信フィルタ（４４Ｒｘ）と、
をさらに備える、請求項５に記載の装置。
【請求項７】
前記チューナブルデュプレクサが高域アンテナ（３０）に選択的に接続され、少なくとも２つの帯域（Ｂ１、Ｂ２）からなる前記グループ（Ｇ１）の高域無線周波数通信信号を送受信するように構成され、前記グループ内の前記少なくとも２つの帯域にそれぞれ対応する前記少なくとも２つのインダクタンス値（Ｌ１、Ｌ２）のそれぞれが、前記グループ内のその他の帯域にそれぞれ対応する前記インダクタンス値に略整合するようなより低いインダクタンス値を有し、かつ
前記高域アンテナ（３０）に選択的に接続され、少なくとも２つの帯域（Ｂ９、Ｂ１１、Ｂ２１およびＢ２３）からなる第２のグループ（Ｇ２）内の高域無線周波数通信信号を送受信するように構成された、第２のチューナブルデュプレクサ（４２）であって、前記第２のグループの前記少なくとも２つの帯域にそれぞれ対応して該帯域を通過させる、少なくとも２つのインダクタンス値（Ｌ９、Ｌ１１）と略整合するインダクタンス値を持つように調整することができる、チューナブル送信フィルタ（４２Ｔｘ）を含み、前記第２のグループ内の前記少なくとも２つの帯域のそれぞれが正のデュプレックスオフセットを有し、前記第２のグループ内の前記少なくとも２つの帯域にそれぞれ対応する前記少なくとも２つのインダクタンス値のそれぞれが、前記第１のグループ（Ｇ１）の前記より低いインダクタンス値より高いインダクタンス値を有し、前記第２のグループ内のその他の帯域にそれぞれ対応する前記インダクタンス値に略整合する、第２のチューナブルデュプレクサ（４２）をさらに備える、
請求項１に記載の装置。
【請求項８】
前記高域アンテナ（３０）よりも低域のアンテナである低域アンテナ（３２）に選択的に接続され、少なくとも２つの帯域（Ｂ６、Ｂ１２、Ｂ１７、Ｂ１８、Ｂ１９およびＢ２７）からなる第３のグループ（Ｇ３）内の低域無線周波数通信信号を送受信するように構成された、第３のチューナブルデュプレクサ（４４）であって、前記第３のグループの前記少なくとも２つの帯域（Ｂ６、Ｂ１２）にそれぞれ対応して該帯域を通過させる、少なくとも２つのインダクタンス値（Ｌ６、Ｌ１２）と略整合するインダクタンス値を持つように調整することができる、チューナブル送信フィルタ（４４Ｔｘ）を含み、前記第３のグループ内の前記少なくとも２つの帯域のそれぞれが正のデュプレックスオフセットを有し、前記第３のグループ内の前記少なくとも２つの帯域にそれぞれ対応する前記少なくとも２つのインダクタンス値のそれぞれが、前記第３のグループ内のその他の帯域にそれぞれ対応する前記インダクタンス値に略整合するようなより低いインダクタンス値を有する、第３のチューナブルデュプレクサ（４４）をさらに備える、請求項７に記載の装置。
【請求項９】
前記低域アンテナ（３２）に選択的に接続され、少なくとも２つの帯域（Ｂ５、Ｂ８、Ｂ２６ＨおよびＢ２８）からなる第４のグループ（Ｇ４）内の低域無線周波数通信信号を送受信するように構成された、第４のチューナブルデュプレクサ（４６）であって、前記第４のグループの前記少なくとも２つの帯域（Ｂ５、Ｂ８）にそれぞれ対応して該帯域を通過させる、少なくとも２つのインダクタンス値（Ｌ５、Ｌ８）と略整合するインダクタンス値を持つように調整することができる、チューナブル送信フィルタ（４６Ｔｘ）を含み、前記第４のグループ内の前記少なくとも２つの帯域のそれぞれが正のデュプレックスオフセットを有し、前記第４のグループ内の前記少なくとも２つの帯域にそれぞれ対応する前記少なくとも２つのインダクタンス値のそれぞれが、前記第３のグループの前記より低いインダクタンス値より高いインダクタンス値を有し、前記第４のグループ内のその他の帯域にそれぞれの対応する前記インダクタンス値に略整合する、第４のチューナブルデュプレクサ（４６）をさらに備える、請求項８に記載の装置。
【請求項１０】
前記低域アンテナ（３２）に選択的に接続され、負のデュプレックスオフセットを有する少なくとも１つの帯域（Ｂ１３、Ｂ１４およびＢ２０）からなる第５のグループ（Ｇ５）内の無線周波数通信信号を送受信するように構成された、第５のチューナブルデュプレクサ（４８）をさらに備える、請求項９に記載の装置。
【請求項１１】
前記チューナブルデュプレクサ（４０）に結合された、少なくとも１つのチューナブル広帯域Ｉ／Ｏポート（５０Ｒｘおよび５０Ｔｘ）を有する送受信機（５０）をさらに備える、請求項１に記載の装置。
【請求項１２】
前記チューナブルデュプレクサ（４０）に結合されたスイッチマトリクス（５２）と、
前記スイッチマトリクスに結合された、単一ポート（５４Ｒｘ／５４Ｔｘ）を有する広帯域チューナブル送受信機（５４）と、
をさらに備える、請求項１に記載の装置。
【請求項１３】
前記帯域が、セルラー方式遠隔通信ネットワークにおける、ユニバーサル移動体通信システム（ＵＭＴＳ）周波数分割二重（ＦＤＤ）通信帯域とロング・ターム・エボルーション（Ｌｏｎｇ  Ｔｅｒｍ  Ｅｖｏｌｕｔｉｏｎ）（ＬＴＥ）周波数分割二重（ＦＤＤ）通信帯域の少なくとも１つである、請求項１に記載の装置。
【請求項１４】
前記装置が、多様な通信帯域が利用可能な多様な地域において動作するように構成された、セルラー方式携帯電話送受話器である、請求項１に記載の装置。
【請求項１５】
地域無線周波数通信帯域が現在の地域で利用可能であると知られている場合に、前記装置の現在の地域を判断するように構成された、前記装置内の位置判断モジュール（ＧＰＳ）と、
前記位置判断モジュール（ＧＰＳ）および前記チューナブルデュプレクサ（４０）に結合され、前記判断された現在の地域で利用可能であると知られている前記地域無線周波数通信帯域に基づいて、前記チューナブルデュプレクサ内の少なくとも前記チューナブル送信フィルタ（４０Ｔｘ）の帯域通過特性を調整するための制御信号を供給するように構成された、前記装置内のプロセッサ（１３４）と、
をさらに備える、請求項１に記載の装置。
【請求項１６】
前記装置内の前記位置判断モジュールが、前記装置の現在の地域を識別するデータを受信するように構成された、ユーザインターフェイスまたは全地球測位システム（ＧＰＳ）受信機の少なくとも１つであり、
前記装置内の前記プロセッサ（１３４）が、遠隔サーバから、前記現在の地域で利用可能な既知の地域無線周波数通信帯域をダウンロードするように構成されている、
請求項１５に記載の装置。
【請求項１７】
無線周波数通信の第１の複数の帯域と無線周波数通信の第２の複数の帯域が現在の地域において無線通信に利用可能であると装置により判断する（９０２）ことと、
前記第１の複数の帯域のうちの少なくとも２つの帯域にそれぞれ対応する少なくとも２つのインダクタンス値に略整合するインダクタンス値を有するように調整された、第１のチューナブルデュプレクサのチューナブル送信フィルタに基づいて、前記第１の複数の帯域のうちの前記少なくとも２つの帯域の通信信号を前記チューナブル送信フィルタによって通すことができると、前記装置により判断する（９０４）ことと、
前記第２の複数の帯域のうちの少なくとも２つの帯域にそれぞれ対応する少なくとも２つのインダクタンス値に略整合するインダクタンス値を有するように調整された、第２のチューナブルデュプレクサの第２のチューナブル送信フィルタに基づいて、前記第２の複数の帯域のうちの前記少なくとも２つの帯域の通信信号を前記第２のチューナブル送信フィルタにより通すことができると前記装置により判断する（９０６）ことと、
前記第１の複数の帯域の前記少なくとも２つの帯域を前記第１のチューナブルデュプレクサに、および前記第２の複数の帯域の前記少なくとも２つの帯域を前記第２のチューナブルデュプレクサに、前記装置により接続する（９０８）ことと、
を備える方法。
【請求項１８】
前記帯域が、セルラー方式遠隔通信ネットワークにおける、ユニバーサル移動体通信システム（ＵＭＴＳ）周波数分割二重（ＦＤＤ）通信帯域とロング・ターム・エボルーション（Ｌｏｎｇ  Ｔｅｒｍ  Ｅｖｏｌｕｔｉｏｎ）（ＬＴＥ）周波数分割二重（ＦＤＤ）通信帯域の少なくとも１つであり、
前記装置が、多様な通信帯域が利用可能な多様な地域において動作するように構成された、携帯電話送受話器である、
請求項１７に記載の方法。
【請求項１９】
装置の処理手段に実行されることにより、前記装置に、請求項17または18に記載の方法を遂行させるように構成されるプログラム命令を備える、コンピュータプログラム。
【請求項２０】
無線周波数通信の第１の複数の帯域と無線周波数通信の第２の複数の帯域が現在の地域において無線通信に利用可能であると装置により判断する（９０２）手段と、
前記第１の複数の帯域のうちの少なくとも２つの帯域にそれぞれ対応する少なくとも２つのインダクタンス値に略整合するインダクタンス値を有するように調整された、第１のチューナブルデュプレクサのチューナブル送信フィルタに基づいて、前記第１の複数の帯域のうちの前記少なくとも２つの帯域の通信信号を前記チューナブル送信フィルタによって通すことができると前記装置により判断する（９０４）手段と、
前記第２の複数の帯域のうちの少なくとも２つの帯域にそれぞれ対応する少なくとも２つのインダクタンス値に略整合するインダクタンス値を有するように調整された、第２のチューナブルデュプレクサの第２のチューナブル送信フィルタに基づいて、前記第２の複数の帯域のうちの前記少なくとも２つの帯域の通信信号を前記第２のチューナブル送信フィルタにより通すことができると前記装置により判断する（９０６）手段と、
前記第１の複数の帯域の前記少なくとも２つの帯域を前記第１のチューナブルデュプレクサに、および前記第２の複数の帯域の前記少なくとも２つの帯域を前記第２のチューナブルデュプレクサに、前記装置により接続する（９０８）手段と、
を備える装置。
【請求項２１】
少なくとも１つのプロセッサ（１３４）と、
コンピュータプログラムコード（９０２、９０４、９０６、９０８）を含む少なくとも１つの記憶装置と、を含む装置であって、
前記少なくとも１つの記憶装置（ＲＡＭ／ＲＯＭ）と前記コンピュータプログラムコードにより、前記少なくとも１つのプロセッサを使用して、少なくとも
無線周波数通信（Ｂ１、Ｂ２等）の第１の複数の帯域と無線周波数通信（Ｂ９、Ｂ１１等）の第２の複数の帯域が現在の地域において無線通信に利用可能であると判断し（９０２）、
前記第１の複数の帯域のうちの少なくとも２つの帯域にそれぞれ対応する少なくとも２つのインダクタンス値に略整合するインダクタンス値を有するように調整された、第１のチューナブルデュプレクサ（４０）のチューナブル送信フィルタに基づいて、前記第１の複数の帯域のうちの前記少なくとも２つの帯域の通信信号を前記チューナブル送信フィルタによって通すことができると判断し（９０４）、
前記第２の複数の帯域のうちの少なくとも２つの帯域にそれぞれ対応する少なくとも２つのインダクタンス値に略整合するインダクタンス値を有するように調整された、第２のチューナブルデュプレクサ（４２）の第２のチューナブル送信フィルタに基づいて、前記第２の複数の帯域のうちの前記少なくとも２つの帯域の通信信号を前記第２のチューナブル送信フィルタにより通すことができると判断し（９０６）、
前記第１の複数の帯域の前記少なくとも２つの帯域を前記第１のチューナブルデュプレクサに、および前記第２の複数の帯域の前記少なくとも２つの帯域を前記第２のチューナブルデュプレクサに、接続する（９０８）、
装置。
【請求項２２】
少なくとも１つのプロセッサ（１３４）と、
コンピュータプログラムコード（９０２、９０４、９０６、９０８）を含む少なくとも１つの記憶装置と、を含む装置であって、
前記少なくとも１つの記憶装置（ＲＡＭ／ＲＯＭ）と前記コンピュータプログラムコードにより、前記少なくとも１つのプロセッサを使用して、少なくとも
無線周波数通信の第１の複数の帯域（Ｂ１、Ｂ２等）と無線周波数通信の第２の複数の帯域（Ｂ９、Ｂ１１、Ｂ２１およびＢ２３）が現在の地域において無線通信に利用可能であると判断し（９０２）、
前記第１の複数の帯域のうちの少なくとも２つの帯域にそれぞれ対応する少なくとも２つのインダクタンス値に略整合するインダクタンス値を有するように調整された、第１のチューナブルデュプレクサ（４０）のチューナブル送信フィルタに基づいて、前記第１の複数の帯域のうちの前記少なくとも２つの帯域の通信信号を前記チューナブル送信フィルタによって通すことができると判断し（９０４）、
前記第２の複数の帯域のうちの少なくとも２つの帯域にそれぞれ対応する少なくとも２つのインダクタンス値に略整合するインダクタンス値を有するように調整された、第２のチューナブルデュプレクサ（４２）の第２のチューナブル送信フィルタに基づいて、前記第２の複数の帯域のうちの前記少なくとも２つの帯域の通信信号を前記第２のチューナブル送信フィルタにより通すことができると判断し（９０６）、
前記第１の複数の帯域の前記少なくとも２つの帯域を前記第１のチューナブルデュプレクサに、および前記第２の複数の帯域の前記少なくとも２つの帯域を前記第２のチューナブルデュプレクサに接続する（９０８）、
装置。
【発明の詳細な説明】
【技術分野】
【０００１】
本発明の技術分野は、セルラー方式遠隔通信システムで使用される無線周波数回路に関する。
【背景】
【０００２】
セルラー方式遠隔通信のための主要な第３世代（３Ｇ）技術標準として、ユニバーサル移動体通信システム（ＵＭＴＳ）がある。ＵＭＴＳセルラー方式が第４世代（４Ｇ）ロング・ターム・エボルーション（Ｌｏｎｇ  Ｔｅｒｍ  Ｅｖｏｌｕｔｉｏｎ）（ＬＴＥ）システムに進化すると、セルラー方式通信の速度は大幅に向上し、パケット待ち時間が短縮されるようになった。４Ｇ−ＬＴＥ周波数分割二重通信（ＦＤＤ）セルラー方式の携帯電話機器がサポートできるＵＭＴＳ帯域の数が増加している。たとえば、２９個のＦＤＤシングル・キャリア・バンドや、２５個のキャリア・アグリゲーション・バンド組み合せをサポートできるようになるとの予測もある。現在のＲＦフロントエンドフィルタ技術は、フィルタ数あたり１つのシングル・キャリア・バンドしか対応できない。その結果、典型的な４Ｇ−ＬＴＥ  ＦＤＤセルラー方式の携帯電話送受話器は、全帯域の一部にしか対応できないことがある。さらに、典型的な４Ｇ−ＬＴＥ  ＦＤＤ送受話器は、特定の地域でだけ機能するように製造されることがあるため、ＯＥＭのグローバル・サプライ・チェーンに分断が生じている。
【先行技術文献】
【非特許文献】
【０００３】
【非特許文献１】アール・ジェイ・キャメロン（Ｒ．Ｊ．  Ｃａｍｅｒｏｎ）著、「チェビシェフ・フィルタリング機能のための一般結合行列合成法（Ｇｅｎｅｒａｌ  ｃｏｕｐｌｉｎｇ  ｍａｔｒｉｘ  ｓｙｎｔｈｅｓｉｓ  ｍｅｔｈｏｄｓ  ｆｏｒ  Ｃｈｅｂｙｓｈｅｖ  ｆｉｌｔｅｒｉｎｇ  ｆｕｎｃｔｉｏｎｓ）」、アイトリプルイー・トランザクションズ・オン・マイクロウェーブ・セオリー・アンド・テクニクス（ＩＥＥＥ  Ｔｒａｎｓ、．  Ｍｉｃｒｏｗａｖｅ  Ｔｈｅｏｒｙ  Ｔｅｃｈ．）、ｖｏｌ  ４７、ｐｐ．  ４３３−４４２、１９９９年４月
【摘要】
【０００４】
装置、方法およびシステム実施例は、改良されたＲＦフロントエンドを提供することにより、セルラー方式遠隔通信のための信号を同時に送受信する。
【０００５】
本発明のある実施例は、
アンテナに選択的に接続され、少なくとも２つの帯域からなるグループ内の無線周波数通信信号を送受信するように構成された、チューナブルデュプレクサと、
前記グループの前記少なくとも２つの帯域にそれぞれ対応して該帯域を通過させる、少なくとも２つのインダクタンス値と略整合するインダクタンス値を持つように調整することができる、前記デュプレクサ内のチューナブル送信フィルタであって、前記グループ内の前記少なくとも２つの帯域のそれぞれが正のデュプレックスオフセットを有し、前記グループ内の前記少なくとも２つの帯域にそれぞれ対応する前記少なくとも２つのインダクタンス値のそれぞれが、前記グループ内のその他の帯域にそれぞれ対応するインダクタンス値に略整合するインダクタンス値を有する、チューナブル送信フィルタと、を備える装置を含む。
【０００６】
本発明のある実施例は、
前記グループの前記少なくとも２つの帯域の受信周波数信号にそれぞれ対応して該受信周波数信号を通過させる、少なくとも２つのインダクタンス値と略整合するインダクタンス値を持つように調整することができる、前記デュプレクサ内のチューナブル受信フィルタを備える装置を含む。
【０００７】
本発明のある実施例は、前記アンテナに選択的に接続され、少なくとも２つの帯域からなる第２のグループの無線周波数通信信号を送受信するように構成された、第２のチューナブルデュプレクサであって、前記第２のグループの前記少なくとも２つの帯域にそれぞれ対応して該帯域を通過させる、少なくとも２つのインダクタンス値と略整合するインダクタンス値を持つように調整することができる、チューナブル送信フィルタを含み、前記第２のグループの前記少なくとも２つの帯域のそれぞれが正のデュプレックスオフセットを有し、前記第２のグループの前記少なくとも２つの帯域にそれぞれ対応する前記少なくとも２つのインダクタンス値のそれぞれが、前記第１のグループの前記インダクタンス値より高いインダクタンス値を有し、前記第２のグループ内のその他の帯域にそれぞれの対応するインダクタンス値に略整合する、第２のチューナブルデュプレクサを備えた、装置を含む。
【０００８】
本発明のある実施例は、前記第２のグループの前記少なくとも２つの帯域の受信周波数信号にそれぞれ対応して該受信周波数信号を通過させる、少なくとも２つのインダクタンス値と略整合するインダクタンス値を持つように調整することができる、前記第２のデュプレクサ内のチューナブル受信フィルタを備えた、装置を含む。
【０００９】
本発明のある実施例は、前記アンテナに選択的に接続され、負のデュプレックスオフセットを有する少なくとも２つの帯域からなる第３のグループ内の無線周波数通信信号を送受信するように構成された、第３のチューナブルデュプレクサを備えた、装置を含む。
【００１０】
本発明のある実施例は、
前記第３のグループの前記少なくとも２つの帯域にそれぞれ対応して該帯域を通過させる、少なくとも２つのインダクタンス値と略整合するインダクタンス値を持つように調整することができる、前記第３のデュプレクサ内のチューナブル送信フィルタと、
前記第３のグループの前記少なくとも２つの帯域の受信周波数信号にそれぞれ対応して該受信周波数信号を通過させる、少なくとも２つのインダクタンス値と略整合するインダクタンス値を持つように調整することができる、前記第３のデュプレクサ内のチューナブル受信フィルタと、
を備える装置を含む。
【００１１】
本発明のある実施例は、
前記チューナブルデュプレクサが高域アンテナに選択的に接続され、少なくとも２つの帯域からなる前記グループの高域無線周波数通信信号を送受信するように構成され、前記グループ内の前記少なくとも２つの帯域にそれぞれ対応する前記少なくとも２つのインダクタンス値のそれぞれが、前記グループ内のその他の帯域にそれぞれ対応する前記インダクタンス値に略整合するようなより低いインダクタンス値を有し、
前記高域アンテナに選択的に接続され、少なくとも２つの帯域からなる第２のグループ内の高域無線周波数通信信号を送受信するように構成された、第２のチューナブルデュプレクサであって、前記第２のグループの前記少なくとも２つの帯域にそれぞれ対応して該帯域を通過させる、少なくとも２つのインダクタンス値と略整合するインダクタンス値を持つように調整することができる、チューナブル送信フィルタを含み、前記第２のグループ内の前記少なくとも２つの帯域のそれぞれが正のデュプレックスオフセットを有し、前記第２のグループ内の前記少なくとも２つの帯域にそれぞれ対応する前記少なくとも２つのインダクタンス値のそれぞれが、前記第１のグループの前記より低いインダクタンス値より高いインダクタンス値を有し、前記第２のグループ内のその他の帯域にそれぞれ対応する前記インダクタンス値に略整合する、第２のチューナブルデュプレクサを備える装置を含む。
【００１２】
本発明のある実施例は、前記高域アンテナよりも低域のアンテナである低域アンテナに選択的に接続され、少なくとも２つの帯域からなる第３のグループ内の低域無線周波数通信信号を送受信するように構成された、第３のチューナブルデュプレクサであって、前記第３のグループの前記少なくとも２つの帯域にそれぞれ対応して該帯域を通過させる、少なくとも２つのインダクタンス値と略整合するインダクタンス値を持つように調整することができる、チューナブル送信フィルタを含み、前記第３のグループ内の前記少なくとも２つの帯域のそれぞれが正のデュプレックスオフセットを有し、前記第３のグループ内の前記少なくとも２つの帯域にそれぞれ対応する前記少なくとも２つのインダクタンス値のそれぞれが、前記第３のグループ内のその他の帯域にそれぞれ対応する前記インダクタンス値に略整合するようなより低いインダクタンス値を有する、第３のチューナブルデュプレクサを備えた、装置を含む。
【００１３】
本発明のある実施例は、前記低域アンテナに選択的に接続され、少なくとも２つの帯域からなる第４のグループ内の低域無線周波数通信信号を送受信するように構成された、第４のチューナブルデュプレクサであって、前記第４のグループの前記少なくとも２つの帯域にそれぞれ対応して該帯域を通過させる、少なくとも２つのインダクタンス値と略整合するインダクタンス値を持つように調整することができる、チューナブル送信フィルタを含み、前記第４のグループ内の前記少なくとも２つの帯域のそれぞれが正のデュプレックスオフセットを有し、前記第４のグループ内の前記少なくとも２つの帯域にそれぞれ対応する前記少なくとも２つのインダクタンス値のそれぞれが、前記第３のグループの前記より低いインダクタンス値より高いインダクタンス値を有し、前記第４のグループ内のその他の帯域にそれぞれの対応する前記インダクタンス値に略整合する、第４のチューナブルデュプレクサを備えた、装置を含む。
【００１４】
本発明のある実施例は、前記低域アンテナに選択的に接続され、負のデュプレックスオフセットを有する少なくとも１つの帯域からなる第５のグループ内の無線周波数通信信号を送受信するように構成された、第５のチューナブルデュプレクサを備えた、装置を含む。
【００１５】
本発明のある実施例は、前記チューナブルデュプレクサに結合された、少なくとも１つのチューナブル広帯域Ｉ／Ｏポートを有する送受信機を備えた、装置を含む。
【００１６】
本発明のある実施例は、
前記チューナブルデュプレクサに結合されたスイッチマトリクスと、
前記スイッチマトリクスに結合された、単一ポートを有する広帯域チューナブル送受信機と、
を備える装置を含む。
【００１７】
本発明のある実施例は、前記帯域が、セルラー方式遠隔通信ネットワークにおける、ユニバーサル移動体通信システム（ＵＭＴＳ）周波数分割二重（ＦＤＤ）通信帯域である、装置を含む。
【００１８】
本発明のある実施例は、前記帯域が、セルラー方式遠隔通信ネットワークにおける、ロング・ターム・エボルーション（Ｌｏｎｇ  Ｔｅｒｍ  Ｅｖｏｌｕｔｉｏｎ）（ＬＴＥ）周波数分割二重（ＦＤＤ）通信帯域である、装置を含む。
【００１９】
本発明のある実施例は装置を含み、該装置が、多様な通信帯域が利用可能な多様な地域において動作するように構成された、セルラー方式携帯電話送受話器である。
【００２０】
本発明のある実施例は装置を含み、該装置が、多様な通信帯域が利用可能な多様な地域において動作するように構成された、セルラー方式携帯電話基地局である。
【００２１】
本発明のある実施例は装置を含み、該装置が、
地域無線周波数通信帯域が現在の地域で利用可能であると知られている場合に、前記装置の現在の地域を判断するように構成された、前記装置内の位置判断モジュールと、
前記位置判断モジュールおよび前記チューナブルデュプレクサに結合され、前記判断された現在の地域で利用可能であると知られている前記地域無線周波数通信帯域に基づいて、前記チューナブルデュプレクサ内の少なくとも前記チューナブル送信フィルタの帯域通過特性を調整するための制御信号を供給するように構成された、前記装置内のプロセッサと、
を備える。
【００２２】
本発明のある実施例は装置を含み、該装置内の前記位置判断モジュールが、前記装置の現在の地域を識別するデータを受信するように構成された、ユーザインターフェイスまたは全地球測位システム（ＧＰＳ）受信機の少なくとも１つである。
【００２３】
本発明のある実施例は装置を含み、該装置内の前記プロセッサが、現在の地域データおよび利用可能な既知の地域無線周波数通信帯域を、遠隔サーバからダウンロードするように構成される。
【００２４】
本発明のある実施例は、
無線周波数通信の第１の複数の帯域と無線周波数通信の第２の複数の帯域が現在の地域において無線通信に利用可能であると装置により判断することと、
前記第１の複数の帯域のうちの少なくとも２つの帯域にそれぞれ対応する少なくとも２つのインダクタンス値に略整合するインダクタンス値を有するように調整された、第１のチューナブルデュプレクサのチューナブル送信フィルタに基づいて、前記第１の複数の帯域のうちの前記少なくとも２つの帯域の通信信号を前記チューナブル送信フィルタによって通すことができると装置により判断することと、
前記第２の複数の帯域のうちの少なくとも２つの帯域にそれぞれ対応する少なくとも２つのインダクタンス値に略整合するインダクタンス値を有するように調整された、第２のチューナブルデュプレクサの第２のチューナブル送信フィルタに基づいて、前記第２の複数の帯域のうちの前記少なくとも２つの帯域の通信信号を前記第２のチューナブル送信フィルタにより通すことができると前記装置により判断することと、
前記第１の複数の帯域の前記少なくとも２つの帯域を前記第１のチューナブルデュプレクサに、および前記第２の複数の帯域の前記少なくとも２つの帯域を前記第２のチューナブルデュプレクサに、前記装置により接続することと、
を含む方法を含む。
【００２５】
本発明のある実施例は、前記帯域が、セルラー方式遠隔通信ネットワークにおける、ユニバーサル移動体通信システム（ＵＭＴＳ）周波数分割二重（ＦＤＤ）通信帯域とロング・ターム・エボルーション（Ｌｏｎｇ  Ｔｅｒｍ  Ｅｖｏｌｕｔｉｏｎ）（ＬＴＥ）周波数分割二重（ＦＤＤ）通信帯域の少なくとも１つである、方法を含む。
【００２６】
本発明のある実施例は、前記装置が、多様な通信帯域が利用可能な多様な地域において動作するように構成された、セルラー方式携帯電話送受話器である、方法を含む。
【００２７】
本発明のある実施例は、
少なくとも１つのプロセッサと、
コンピュータプログラムコードを含む少なくとも１つの記憶装置と、を含む装置であって、
前記少なくとも１つの記憶装置と前記コンピュータプログラムコードにより、前記少なくとも１つのプロセッサを使用して、少なくとも
無線周波数通信の第１の複数の帯域と無線周波数通信の第２の複数の帯域が現在の地域において無線通信に利用可能であると判断し、
前記第１の複数の帯域のうちの少なくとも２つの帯域にそれぞれ対応する少なくとも２つのインダクタンス値に略整合するインダクタンス値を有するように調整された、第１のチューナブルデュプレクサのチューナブル送信フィルタに基づいて、前記第１の複数の帯域のうちの前記少なくとも２つの帯域の通信信号を前記チューナブル送信フィルタによって通すことができると判断し、
前記第２の複数の帯域のうちの少なくとも２つの帯域にそれぞれ対応する少なくとも２つのインダクタンス値に略整合するインダクタンス値を有するように調整された、第２のチューナブルデュプレクサの第２のチューナブル送信フィルタに基づいて、前記第２の複数の帯域のうちの前記少なくとも２つの帯域の通信信号を前記第２のチューナブル送信フィルタにより通すことができると判断し、
前記第１の複数の帯域の前記少なくとも２つの帯域を前記第１のチューナブルデュプレクサに、および前記第２の複数の帯域の前記少なくとも２つの帯域を前記第２のチューナブルデュプレクサに、接続する、
装置を含む。
【００２８】
本発明のある実施例は、コンピュータ可読の、非一時的な記憶媒体に記録されたコンピュータ実行可能プログラムコードを含むコンピュータプログラム製品であって、前記コンピュータ実行可能プログラムコードが、
無線周波数通信の第１の複数の帯域と無線周波数通信の第２の複数の帯域が現在の地域において無線通信に利用可能であると装置により判断するためのコードと、
前記第１の複数の帯域のうちの少なくとも２つの帯域にそれぞれ対応する少なくとも２つのインダクタンス値に略整合するインダクタンス値を有するように調整された、第１のチューナブルデュプレクサのチューナブル送信フィルタに基づいて、前記第１の複数の帯域のうちの前記少なくとも２つの帯域の通信信号を前記チューナブル送信フィルタによって通すことができると前記装置により判断するためのコードと、
前記第２の複数の帯域のうちの少なくとも２つの帯域にそれぞれ対応する少なくとも２つのインダクタンス値に略整合するインダクタンス値を有するように調整された、第２のチューナブルデュプレクサの第２のチューナブル送信フィルタに基づいて、前記第２の複数の帯域のうちの前記少なくとも２つの帯域の通信信号を前記第２のチューナブル送信フィルタにより通すことができると前記装置により判断するためのコードと、
前記現在の地域で前記装置が無線通信をおこなうために、前記第１の複数の帯域の前記少なくとも２つの帯域を前記第１のチューナブルデュプレクサに、および前記第２の複数の帯域の前記少なくとも２つの帯域を前記第２のチューナブルデュプレクサに、前記装置により接続するためのコードと、
を含むコンピュータプログラム製品を含む。
【図面の簡単な説明】
【００２９】
【図１Ａ】図１Ａは本発明の実施例を示す図であり、１つ以上のＵＭＴＳ  ＦＤＤ帯域をカバーする５つのチューナブルデュプレクサを有するチューナブルＲＦフロントエンドが、５つのチューナブル広帯域Ｉ／Ｏポートを有する送受信機と、本発明の実施例にしたがって接続される様子を示している。
【図１Ｂ】図１Ｂは本発明の実施例を示す図であり、１つ以上のＵＭＴＳ  ＦＤＤ帯域をカバーする５つのチューナブルデュプレクサを有するチューナブルＲＦフロントエンドが、本発明の実施例にしたがって、２つの５×１スイッチマトリクスを介して、広帯域の単一ポートチューナブル送受信機と接続される様子を示している。
【図１Ｃ】図１Ｃは本発明の実施例を示す図であり、単一のアンテナに選択的に接続され、１つ以上のＵＭＴＳ  ＦＤＤ帯域をカバーする、３つのチューナブルデュプレクサを有するチューナブルＲＦフロントエンドが、本発明の実施例にしたがって、３つのチューナブル広帯域Ｉ／Ｏポートを有する送受信機と接続される様子を示している。
【図１Ｄ】図１Ｄは本発明の実施例を示す図であり、図１Ｃの３つのチューナブルデュプレクサを有するチューナブルＲＦフロントエンドにおいて、デュプレクサの第１番目と第２番目が、ＵＭＴＳ  ＦＤＤ帯域からなる第１のグループと第２のグループの両方が現在利用可能であることを基に、本発明の実施例にしたがって、単一のアンテナに選択的に接続される様子を示している。
【図１Ｅ】図１Ｅは本発明の実施例を示す図であり、図１Ｃの３つのチューナブルデュプレクサを有するチューナブルＲＦフロントエンドにおいて、デュプレクサの第１番目、第２番目および第３番目が、ＵＭＴＳ  ＦＤＤ帯域からなる第１のグループ、第２のグループおよび第３のグループが現在利用可能であることに基づいて、本発明の実施例にしたがって、単一のアンテナに選択的に接続される様子を示している。
【図２】図２は本発明の実施例を示す図であり、本発明の実施例にしたがったチューナブルデュプレクサ回路を示す。
【図３】図３は本発明の実施例を示す図であり、本発明の実施例にしたがった、バンド１２およびバンド６整合インダクタンス値を使用した、バンド１２送信フィルタの順方向伝送を示す。
【図４】図４は本発明の実施例を示す図であり、本発明の実施例にしたがった、バンド１２およびバンド６整合インダクタンス値を使用した、バンド１２送信フィルタの入力反射係数を示す。
【図５】図５は本発明の実施例を示す図であり、本発明の実施例にしたがった、バンド３およびバンド４整合インダクタンス値を使用した、バンド３送信フィルタの順方向伝送を示す。
【図６】図６は本発明の実施例を示す図であり、本発明の実施例にしたがった、バンド３およびバンド４整合インダクタンス値を使用した、バンド３送信フィルタの入力反射係数を示す。
【図７】図７は本発明の実施例を示す図であり、チューナブル送信フィルタ回路の一例を示す。図に示す限定されない実施例はＴ形バンドパスフィルタを示し、本発明の実施例にしたがい、選択されたインダクタンス値が当該グループにグループ化された２つ以上の帯域の送信信号を通せるように調整されている。
【図８】図８は、本発明の実施例にしたがった携帯電話の一例を示す機能ブロック図である。
【図９】図９は、本発明の実施例にしたがった携帯電話における、動作の流れ図の一例である。
【発明の例示的実施形態の説明】
【００３０】
本発明の実施例では、ＵＭＴＳ帯域の組み合わせが、マルチバンド・チューナブル・フィルタにおいてグループ化される。その結果として得られるバンドの組み合せは合計５つのチューナブルフィルタで表され、これにより地理的な制約のない４Ｇ−ＬＴＥ  ＦＤＤ通信機器を製造することができる。
【００３１】
図１Ａは本発明の実施例を示す図であり、１つ以上のＵＭＴＳ  ＦＤＤ帯域をカバーすることができる５つのチューナブルデュプレクサ４０、４２、４４、４６および４８を有するチューナブルＲＦフロントエンド２０が、５０Ｒｘおよび５０Ｔｘ含む５つのチューナブル広帯域Ｉ／Ｏポートを有する送受信機５０と、本発明の実施例にしたがって接続される様子を示している。たとえば、デュプレクサ４０により、１つの周波数で動作する送信機およびそれと異なる周波数で動作する受信機が、１つの同じアンテナを共有しながら、異なるＲＦ信号の干渉と劣化を最小に抑えることができるようになる。表７は、ＵＭＴＳ  ＦＤＤ帯域Ｎｏ．１〜Ｎｏ．２９に対応する周波数の一覧を示す。
【００３２】
本発明の実施例によれば、第１のチューナブルデュプレクサ４０は、セレクタ３６により高域アンテナ３０に選択的に接続され、少なくとも２つの帯域Ｂ１、Ｂ２、Ｂ３、Ｂ４、Ｂ７、Ｂ１０およびＢ２５からなる第１のグループＧ１の高域無線周波数通信信号を送受信するように構成されてもよい。本発明の実施例によれば、１４００ＭＨｚより高い送信中心周波数を高域としてグループ化し、９００ＭＨｚより低い送信中心周波数を低域としてグループ化する。
【００３３】
本発明の実施例によれば、上記第１のデュプレクサ４０は、上記第１のグループＧ１の上記少なくとも２つの帯域Ｂ１、Ｂ２等にそれぞれ対応してそれらの帯域を通過させる、少なくとも２つのインダクタンス値Ｌ１、Ｌ２等と略整合するインダクタンス値を持つように調整することができるチューナブル送信フィルタ４０Ｔｘを含んでもよい。上記インダクタンス値Ｌ１、Ｌ２等は、一般化結合行列、周波数不変サセプタンス（Ｂ）、中心周波数（ｆ０）と比帯域幅（ＦＢＷ）、および外部品質係数（Ｑｅｘｔ）から生成される係数に基づいて決定される。一般化結合行列については非特許文献１に掲載されており、参照によりここに援用する。
【００３４】
本発明の実施例では、周波数不変サセプタンス（Ｂ）は、交差結合されたバンドパスフィルタに現れ、その動作によりフィルタの共振器が非同期に調整される。非同期に調整された共振器では、たとえば、値はＢ＝０である。共振器の中心周波数ｆ１を信号源または負荷インピーダンス近傍に非同期（または同期）に調整すると、静電容量値Ｃ１がユーザ定義のシャントインダクタンスＬ０と確実に共振するようになる。以下の式で与えられるフィルタの外部品質係数Ｑｅｘｔにより、一般化結合行列のｍ０１（すなわちｍＳまたはｍＬ）入力とＦＢＷの関係が表される。
Ｑｅｘｔ=１／（ｍ０１２×ＦＢＷ）          （１）
整合コンデンサＣ０１は下記の式から導出できる。
Ｃ０１=［Ｃ１／（Ｚ０×Ｑｅｘｔ×ＦＢＷ）］１／２          （２）
そして、インダクタンス値Ｌ１、Ｌ２等の整合インダクタンスＬ０１は、以下の関係式で表される。
Ｌ０１=１／［Ｃ０１×（２πｆ１）２］          （３）
【００３５】
たとえば、Ｌ０１インダクタンス値がＢ１帯域のＴｘ信号を通せるように上記チューナブル送信フィルタ４０Ｔｘを調整できる場合、Ｂ１帯域を第１のグループＧ１にグループ化してもよい。便宜上、Ｌ０１をＬ１インダクタンス値と呼ぶ。
【００３６】
本発明の実施例によれば、第１のグループＧ１の上記少なくとも２つの帯域Ｂ１、Ｂ２等のそれぞれは、正のデュプレックスオフセットを有してもよい。負のデュプレックス周波数オフセット（たとえばｆＲＸ−ｆＴＸ＜０）を有するデュプレクサは、自分自身のデュプレクサクラスにグループ化される。上記少なくとも２つのインダクタンス値Ｌ１、Ｌ２等は、上記第１のグループＧ１の上記少なくとも２つの帯域Ｂ１、Ｂ２等にそれぞれ対応しながら、上記第１のグループＧ１のその他の帯域にそれぞれに対応するインダクタンス値に略整合するようなより低いインダクタンス値を有してもよい。上記第１のデュプレクサ４０は、チューナブル受信フィルタ４０Ｒｘを備えていてもよい。
【００３７】
本発明の実施例によれば、第２のチューナブルデュプレクサ４２は、セレクタ３６により上記高域アンテナ３０に選択的に接続され、少なくとも２つの帯域Ｂ９、Ｂ１１、Ｂ２１およびＢ２３からなる第２のグループＧ２の高域無線周波数通信信号を送受信するように構成されてもよい。上記第２のデュプレクサ４２は、上記第２のグループＧ２の上記少なくとも２つの帯域Ｂ９、Ｂ１１等にそれぞれ対応してそれらの帯域を通過させる、少なくとも２つのインダクタンス値Ｌ９、Ｌ１１等と略整合するインダクタンス値を持つように調整することができるチューナブル送信フィルタ４２Ｔｘを備えてもよい。上記インダクタンス値Ｌ９、Ｌ１１等は、上述の第１のデュプレクサ４０のＬ１、Ｌ２等の場合と同じ方法で決定してもよい。上記第２のデュプレクサ４２は、チューナブル受信フィルタ４２Ｒｘを含んでもよい。上記第２のグループＧ２の上記少なくとも２つの帯域Ｂ９、Ｂ１１等のそれぞれは、正のデュプレックスオフセットを有してもよい。上記少なくとも２つのインダクタンス値Ｌ９、Ｌ１１等は、上記第２のグループＧ２の上記少なくとも２つの帯域Ｂ９、Ｂ１１等にそれぞれ対応しながら、上記第１のグループＧ１の上述したより低いインダクタンス値より高く、上記第２のグループＧ２のその他の帯域にそれぞれ対応するインダクタンス値に略整合するようなインダクタンス値を有してもよい。
【００３８】
本発明の実施例によれば、第３のチューナブルデュプレクサ４４は、高域アンテナ３０よりも低域の帯域アンテナである低域アンテナ３２にセレクタ３６により選択的に接続され、少なくとも２つの帯域Ｂ６、Ｂ１２、Ｂ１７、Ｂ１８、Ｂ１９およびＢ２７からなる第３のグループＧ３の低域無線周波数通信信号を送受信するように構成されてもよい。上記第３のデュプレクサ４４は、上記第３のグループＧ３の上記少なくとも２つの帯域Ｂ６、Ｂ１２等にそれぞれ対応してそれらの帯域を通過させる、少なくとも２つのインダクタンス値Ｌ６、Ｌ１２等と略整合するインダクタンス値を持つように調整することができるチューナブル送信フィルタ４４Ｔｘを備えてもよい。上記インダクタンス値Ｌ６、Ｌ１２等は、上述の第１のデュプレクサ４０のＬ１、Ｌ２等の場合と同じ方法で決定してもよい。上記第３のデュプレクサ４４は、チューナブル受信フィルタ４４Ｒｘを含んでもよい。上記第３のグループＧ３内の上記少なくとも２つの帯域Ｂ６、Ｂ１２等のそれぞれは、正のデュプレックスオフセットを有してもよい。上記少なくとも２つのインダクタンス値Ｌ６、Ｌ１２等は、上記第３のグループＧ３の上記少なくとも２つの帯域Ｂ６、Ｂ１２等にそれぞれ対応しながら、上記第３のグループＧ３のその他の帯域にそれぞれ対応するインダクタンス値に略整合するようなより低いインダクタンス値を有してもよい。
【００３９】
本発明の実施例によれば、第４のチューナブルデュプレクサ４６は、セレクタ３６により上記低域アンテナ３２に選択的に接続され、少なくとも２つの帯域Ｂ５、Ｂ８、Ｂ２６ＨおよびＢ２８からなる第４のグループＧ４の低域無線周波数通信信号を送受信するように構成されてもよい。上記第４のデュプレクサ４６は、上記第４のグループＧ４の上記少なくとも２つの帯域Ｂ５、Ｂ８等にそれぞれ対応してそれらの帯域を通過させる、少なくとも２つのインダクタンス値Ｌ５、Ｌ８等と略整合するインダクタンス値を持つように調整することができるチューナブル送信フィルタ４６Ｔｘを備えてもよい。上記インダクタンス値Ｌ５、Ｌ８等は、上述の第１のデュプレクサ４０内のＬ１、Ｌ２等の場合と同じ方法で決定してもよい。上記第４のデュプレクサ４６は、チューナブル受信フィルタ４６Ｒｘを含んでもよい。上記第４のグループＧ４内の上記少なくとも２つの帯域Ｂ５、Ｂ８等のそれぞれは、正のデュプレックスオフセットを有してもよい。上記少なくとも２つのインダクタンス値Ｌ５、Ｌ８等は、上記第４のグループＧ４の上記少なくとも２つの帯域Ｂ５、Ｂ８等にそれぞれ対応しながら、上記第３のグループＧ３の上述したより低いインダクタンス値より高く、第４のグループＧ４のその他の帯域にそれぞれ対応するインダクタンス値に略整合するようなインダクタンス値を有してもよい。
【００４０】
本発明の実施例によれば、第５のチューナブルデュプレクサ４８は、セレクタ３６により上記低域アンテナ３２に選択的に接続され、負のデュプレックスオフセットを有する少なくとも１つの帯域Ｂ１３、Ｂ１４およびＢ２０からなる第５のグループＧ５の無線周波数通信信号を送受信するように構成されてもよい。負のデュプレックス周波数オフセット（たとえばｆＲＸ−ｆＴＸ＜０）を有するデュプレクサは、自分自身のデュプレクサクラスにグループ化される。
【００４１】
本発明の実施例によれば、上記５つのチューナブルデュプレクサ４０、４２、４４、４６および４８は、セレクタ３６によりアンテナ３０、３２および／または３４に選択的に接続し、現在位置で局所的に利用可能なＵＭＴＳ  ＦＤＤ帯域の総数の一部をカバーしてもよい。本発明の実施例によれば、上記５つのチューナブルデュプレクサ４０、４２、４４、４６および４８を含む携帯電話等の通信機器は、局所的に利用可能なＵＭＴＳ  ＦＤＤ帯域による地理的な制約を受けない。
【００４２】
本発明の実施例によれば、携帯電話等の通信機器は、ＵＭＴＳ  ＦＤＤ帯域からなる第１のグループＧ１およびＵＭＴＳ  ＦＤＤ帯域からなる第２のグループＧ２が現在の地域において無線通信に利用可能であると判断してもよい。ＵＭＴＳ  ＦＤＤ帯域Ｂ１、Ｂ２、Ｂ３、Ｂ４、Ｂ７、Ｂ１０およびＢ２５からなる第１のグループＧ１は、第１のチューナブルデュプレクサ４０により通過させることが可能であると判断されてもよい。ＵＭＴＳ  ＦＤＤ帯域Ｂ９、Ｂ１１、Ｂ２１およびＢ２３からなる第２のグループＧ２は、第２のチューナブルデュプレクサ４２により通過させることが可能であると判断されてもよい。本発明の実施例によれば、上記チューナブルデュプレクサ４０および４２は、上記セレクタ３６により上記アンテナ３０に選択的に接続され、現在位置で局所的に利用可能であるグループＧ１およびＧ２の上記ＵＭＴＳ  ＦＤＤ帯域をカバーしてもよい。
【００４３】
本発明の実施例によれば、５つのチューナブル広帯域Ｉ／Ｏポート５０Ｒｘ／５０Ｔｘ、５２Ｒｘ／５２Ｔｘ、５４Ｒｘ／５４Ｔｘ、５６Ｒｘ／５６Ｔｘおよび５８Ｒｘ／５８Ｔｘを有する送受信機５０は、第１、第２、第３、第４および第５のチューナブルデュプレクサ４０、４２、４４、４６、および４８の１つに各Ｉ／Ｏポートをそれぞれ結合させてもよい。
【００４４】
本発明の実施例によれば、上記帯域Ｂ１〜Ｂ２８は、セルラー方式遠隔通信ネットワークにおけるユニバーサル移動体通信システム（ＵＭＴＳ）周波数分割二重（ＦＤＤ）通信帯域であってもよい。
【００４５】
本発明の実施例によれば、上記帯域Ｂ１〜Ｂ２８は、セルラー方式遠隔通信ネットワークにおけるロング・ターム・エボルーション（Ｌｏｎｇ  Ｔｅｒｍ  Ｅｖｏｌｕｔｉｏｎ）（ＬＴＥ）周波数分割二重（ＦＤＤ）通信帯域であってもよい。
【００４６】
本発明の実施例によれば、上記装置は、多様な通信帯域が利用可能な多様な地域で動作するように構成されたセルラー方式携帯電話送受話器であってもよい。
【００４７】
本発明の実施例によれば、上記装置は、多様な通信帯域が利用可能な多様な地域で動作するように構成されたセルラー方式携帯電話基地局であってもよい。
【００４８】
図１Ｂは本発明の実施例を示す図であり、１つ以上のＵＭＴＳ  ＦＤＤ帯域をカバーする、図１Ａに示した５つのチューナブルデュプレクサ４０、４２、４４、４６および４８を有するチューナブルＲＦフロントエンド２０が、本発明の実施例にしたがって、２つの５×１スイッチマトリクス５２を介して、広帯域の単一ポートチューナブル送受信機５４と接続される様子を示している。本発明の実施例によれば、スイッチマトリクス５２は、第１、第２、第３、第４および第５のチューナブルデュプレクサ４０、４２、４４、４６および４８のそれぞれに結合してもよい。単一ポート５４Ｒｘ／５４Ｔｘを有する広帯域チューナブル送受信機５４は、セレクタ３６によりスイッチマトリクス５２に選択的に結合されてもよい。
【００４９】
図１Ｃは本発明の実施例を示す図であり、セレクタ３６により単一のアンテナ３４に選択的に接続され、１つ以上のＵＭＴＳ  ＦＤＤ帯域をカバーする、３つのチューナブルデュプレクサ４０、４２および４８を有するチューナブルＲＦフロントエンド２０'が、本発明の実施例にしたがって、３つのチューナブル広帯域Ｉ／Ｏポート５０Ｒｘ／５０Ｔｘ、５２Ｒｘ／５２Ｔｘおよび５８Ｒｘ／５８Ｔｘを有する送受信機５０'と接続される様子を示している。
【００５０】
本発明の実施例によれば、上記第１のチューナブルデュプレクサ４０は、セレクタ３６により上記アンテナ３０に選択的に接続され、少なくとも２つの帯域Ｂ１、Ｂ２、Ｂ３、Ｂ４、Ｂ７、Ｂ１０およびＢ２５、さらにＢ６、Ｂ１２、Ｂ１７、Ｂ１８、Ｂ１９およびＢ２７からなる第１のグループＧ１'の無線周波数通信信号を送受信するように構成されてもよい。上記第１のデュプレクサ４０は、上記第１のグループＧ１'の上記少なくとも２つの帯域Ｂ１、Ｂ２等にそれぞれ対応してそれらの帯域を通過させる、少なくとも２つのインダクタンス値Ｌ１、Ｌ２等と略整合するインダクタンス値を持つように調整することができるチューナブル送信フィルタ４０Ｔｘを備え、上記第１のグループＧ１'の上記少なくとも２つの帯域Ｂ１、Ｂ２等のそれぞれが正のデュプレックスオフセットを有してもよい。上記少なくとも２つのインダクタンス値Ｌ１、Ｌ２等は、上記第１のグループＧ１'の上記少なくとも２つの帯域Ｂ１、Ｂ２等にそれぞれ対応しながら、上記第１のグループＧ１'のその他の帯域にそれぞれに対応するインダクタンス値に略整合するようなより低いインダクタンス値を有してもよい。
【００５１】
本発明の実施例によれば、上記第２のチューナブルデュプレクサ４２は、セレクタ３６により同一のアンテナ３４に選択的に接続され、少なくとも２つの帯域Ｂ９、Ｂ１１、Ｂ２１およびＢ２３、さらにＢ５、Ｂ８、Ｂ２６ＨおよびＢ２８からなる第２のグループＧ２'における無線周波数通信信号を送受信するように構成されてもよい。上記第２のデュプレクサ４２は、上記第２のグループＧ２'の上記少なくとも２つの帯域Ｂ９、Ｂ１１等にそれぞれ対応してそれらの帯域を通過させる、少なくとも２つのインダクタンス値Ｌ９、Ｌ１１等と略整合するインダクタンス値を持つように調整することができるチューナブル送信フィルタ４２Ｔｘを備え、上記第２のグループＧ２'の上記少なくとも２つの帯域Ｂ９、Ｂ１１等のそれぞれが正のデュプレックスオフセットを有してもよい。上記少なくとも２つのインダクタンス値Ｌ９、Ｌ１１等は、上記第２のグループＧ２'の上記少なくとも２つの帯域Ｂ９、Ｂ１１等にそれぞれ対応しながら、上記第１のグループＧ１'の上述したより低いインダクタンス値より高く、上記第２のグループＧ２'のその他の帯域にそれぞれ対応するインダクタンス値に略整合するようなインダクタンス値を有してもよい。
【００５２】
本発明の実施例によれば、セレクタ３６により同一のアンテナ３４に選択的に接続された第３のチューナブルデュプレクサ４８は、負のデュプレックスオフセットを有する少なくとも１つの帯域Ｂ１３、Ｂ１４およびＢ２０からなる第３のグループＧ３'の無線周波数通信信号を送受信するように構成されてもよい。
【００５３】
図１Ｄは本発明の実施例を示す図であり、図１Ｃの３つのチューナブルデュプレクサを有するチューナブルＲＦフロントエンドにおいて、第１のデュプレクサ４０および第２のデュプレクサ４２が、ＵＭＴＳ  ＦＤＤ帯域Ｂ１、Ｂ２、Ｂ３、Ｂ４、Ｂ７、Ｂ１０およびＢ２５からなる前記第１のグループＧ１とＵＭＴＳ  ＦＤＤ帯域Ｂ９、Ｂ１１、Ｂ２１およびＢ２３からなる前記第２のグループＧ２の両方が現在利用可能であることを基に、本発明の実施例にしたがって、セレクタ３６により単一のアンテナ３４に選択的に接続される様子を示している。
【００５４】
本発明の実施例によれば、携帯電話等の通信機器は、ＵＭＴＳ  ＦＤＤ帯域からなる上記第１のグループＧ１およびＵＭＴＳ  ＦＤＤ帯域からなる上記第２のグループＧ２が現在の地域において無線通信に利用可能であると判断してもよい。ＵＭＴＳ  ＦＤＤ帯域Ｂ１、Ｂ２、Ｂ３、Ｂ４、Ｂ７、Ｂ１０およびＢ２５からなる上記第１のグループＧ１は、上記第１のチューナブルデュプレクサ４０により通過させることが可能であると判断されてもよい。ＵＭＴＳ  ＦＤＤ帯域Ｂ９、Ｂ１１、Ｂ２１およびＢ２３からなる上記第２のグループＧ２は、上記第２のチューナブルデュプレクサ４２により通過させることが可能であると判断されてもよい。本発明の実施例によれば、上記チューナブルデュプレクサ４０および４２は、上記セレクタ３６により上記アンテナ３４に選択的に接続され、現在位置で局所的に利用可能であるグループＧ１およびＧ２の上記ＵＭＴＳ  ＦＤＤ帯域をカバーしてもよい。
【００５５】
図１Ｅは本発明の実施例を示す図であり、図１Ｃの３つのチューナブルデュプレクサを有するチューナブルＲＦフロントエンドにおいて、第１のデュプレクサ４０、第２のデュプレクサ４２および第３のデュプレクサ４８が、ＵＭＴＳ  ＦＤＤ帯域からなる第１のグループＧ１、第２のグループＧ２および第５のグループＧ５が現在利用可能であることに基づいて、本発明の実施例にしたがって、セレクタ３６により単一のアンテナ３４に選択的に接続される様子を示している。
【００５６】
本発明の実施例によれば、携帯電話等の通信機器は、ＵＭＴＳ  ＦＤＤ帯域からなる上記第１のグループＧ１、ＵＭＴＳ  ＦＤＤ帯域からなる上記第２のグループＧ２およびＵＭＴＳ  ＦＤＤ帯域からなる第５のグループＧ５が現在の地域において無線通信に利用可能であると判断してもよい。ＵＭＴＳ  ＦＤＤ帯域Ｂ１、Ｂ２、Ｂ３、Ｂ４、Ｂ７、Ｂ１０およびＢ２５からなる上記第１のグループＧ１は、上記第１のチューナブルデュプレクサ４０により通過させることが可能であると判断されてもよい。ＵＭＴＳ  ＦＤＤ帯域Ｂ９、Ｂ１１、Ｂ２１およびＢ２３からなる上記第２のグループＧ２は、上記第２のチューナブルデュプレクサ４２により通過させることが可能であると判断されてもよい。ＵＭＴＳ  ＦＤＤ帯域Ｂ１３、Ｂ１４およびＢ２０からなる上記第５のグループＧ５は、上記第３のチューナブルデュプレクサ４８により通過させることが可能であると判断されてもよい。本発明の実施例によれば、上記チューナブルデュプレクサ４０、４２および４８は、上記セレクタ３６により上記アンテナ３４に選択的に接続され、現在位置で局所的に利用可能であるグループＧ１、Ｇ２およびＧ５の上記ＵＭＴＳ  ＦＤＤ帯域をカバーしてもよい。
【００５７】
図２は本発明の実施例を示す図であり、本発明の実施例にしたがったチューナブルデュプレクサ回路４０を表す。第１のデュプレクサ４０は、チューナブル受信フィルタ４０Ｒｘおよびチューナブル送信フィルタ４０Ｔｘを含むように示されている。本発明の実施例によれば、チューナブル受信フィルタ４０Ｒｘとチューナブル送信フィルタ４０ＴＸは、第１のグループＧ１の特定の帯域が所望の帯域の信号を通せるように調整されている。たとえば、上記チューナブル送信フィルタ４０Ｔｘは、上記第１のグループＧ１にグループ化される上記Ｂ１帯域のＴｘ信号を上記Ｌ０１インダクタンス値が通すことができるように調整してもよい。Ｌ０１をＬ１インダクタンス値と呼ぶ。チューナブル受信フィルタ４０Ｒｘは、アンテナ３０から送受信機５０の広帯域受信機Ｉ／Ｏポート５０Ｒｘに、Ｂ１帯域のＲｘ信号を通過させる。チューナブル送信フィルタ４０Ｔｘは、送受信機５０の広帯域送信機Ｉ／Ｏポート５０Ｔｘからアンテナ３０に、Ｂ１帯域のＴｘ信号を通過させる。
【００５８】
本発明の実施例によれば、チューナブル受信フィルタトポロジーで使用する設計手順は、チューナブル送信フィルタトポロジーで使用した設計手順と同じである。このことは、中心周波数、したがって整合インダクタンスのみ、が変更されるという事実により理解することができる。簡略化のため、送信フィルタの設計手順およびそれに伴う図を使用して受信フィルタを表してもよい。チューナブル受信フィルタのためのバンド組み合せは、チューナブル送信フィルタのためのバンド組み合わせと同じである。
【００５９】
本発明の実施例にしたがって設計・製造された携帯電話等の完成された通信機器の場合、グループＧ１内で局所的に利用可能な特定の帯域に合わせて、チューナブル受信フィルタ４０Ｒｘおよびチューナブル送信フィルタ４０ＴＸの帯域通過特性を微調整してもよい。図２に示す微調整された帯域通過制御信号６０ＲＸおよび６０ＴＸを印加することで、それぞれチューナブル受信フィルタ４０ＲＸおよびチューナブル送信フィルタ４０Ｔｘの静電容量を調整し、その帯域通過特性を微調整してもよい。
【００６０】
本発明の実施例によれば、チューナブル送信フィルタ（またはチューナブル受信フィルタ）の帯域をグループ化する方法は以下のようになる。
ａ）高域アンテナに接続された帯域は１つのグループＡにグループ化され、低域アンテナに接続された帯域はグループＢにグループ化される。
ａ  グループＡ内、
ｉ  正のデュプレックスオフセットとより低い送受信フィルタ整合インダクタンス値（つまり、調整可能範囲内）を有する帯域は、単一のチューナブルデュプレクサ１に割り当てられる。
ｉｉ  正のデュプレックスオフセットとより高い送受信フィルタ整合インダクタンス値を有する帯域は、単一のチューナブルデュプレクサ２に割り当てられる。
ｂ  グループＢ内、
ｉ  正のデュプレックスオフセットとより低い送受信フィルタ整合インダクタンス値を有する帯域は、単一のチューナブルデュプレクサ３に割り当てられる。
ｉｉ  正のデュプレックスオフセットとより高い送受信整合インダクタンス値を有する帯域は、単一のチューナブルデュプレクサ４に割り当てられる。
ｉｉｉ  負のデュプレックスオフセットを有する帯域は、単一のチューナブルデュプレクサ５に割り当てられる。
【００６１】
本発明の実施例によれば、単一のアンテナを使用する場合、帯域は下記を基準に３つのチューナブルデュプレクサに分割することができる：
（ａ）正のデュプレックスオフセットおよびより低い送受信フィルタ整合インダクタンス値を有する帯域
（ｂ）正のデュプレックスオフセットおよびより高い送受信フィルタ整合インダクタンス値を有する帯域
（ｃ）負のデュプレックスオフセットを有する帯域
【００６２】
本発明の実施例によれば、１４００ＭＨｚより高い送信フィルタ中心周波数は高域としてグループ化され、９００ＭＨｚより低い送信中心周波数は低域グループ化される。負のデュプレックス周波数オフセット（たとえばｆＲＸ−ｆＴＸ＜０）を有するデュプレクサは、自分自身のデュプレクサクラスにグループ化される。低域および高域チューナブルデュプレクサの数は、上述したように、それぞれの送信フィルタで使用される整合インダクタンスにより判断してもよい。
【００６３】
本発明の実施例によれば、上記チューナブル受信フィルタの方法は、上記チューナブル送信フィルタの方法で使用したのと同じ設計手順である。このことは、中心周波数、したがって整合インダクタンスのみ、が変更されるという事実により理解することができる。上記チューナブル受信フィルタのためのバンド組み合せは、上記チューナブル送信フィルタのためのバンド組み合わせと同じである。
【００６４】
静電容量値とは違って、インダクタンス値は調整することが困難な場合がある。したがって、本発明の実施例によれば、類似のインダクタンス値を共有する帯域は、まとめてデュプレクサクラスにグループ化される。送信フィルタで使用される整合インダクタンス値を有する高域ＵＭＴＳ帯域の一覧を表１に示す。
［表１］送信フィルタ整合インダクタンスを基準とした高域デュプレクサのグループ化（単位：ｎＨ）
2016523064.tif 000003
【００６５】
整合インダクタンス値を有する低域ＵＭＴＳ帯域の一覧を表２に示す。
［表２］送信フィルタ整合インダクタンスを基準とした低域デュプレクサのグループ化（単位：ｎＨ）
2016523064.tif 000004
【００６６】
負のデュプレックスオフセットを有するＵＭＴＳ帯域の一覧を表３に示す。
［表３］負のデュプレックス周波数オフセットを基準としたデュプレクのサグループ化
2016523064.tif 000005
【００６７】
本発明の実施例によれば、ＬＴＥ帯域は、５つのチューナブルデュプレクサの組み合わせにグループ化されてもよい。帯域を低域デュプレクサと高域デュプレクサに分割するのは、低域アンテナおよび高域アンテナを別々に使用するからである。さらに、送信フィルタまたは受信フィルタで１／４波長共振器伝送路を使用して、類似の整合インダクタンス値を有するＵＭＴＳ帯域が低域と高域の境界をまたがってグループ化されるのを防止してもよい。
【００６８】
本発明の実施例によれば、フィルタ応答を記述する伝達関数を、チューナブル送信フィルタ４０Ｔｘを記述する際に使用してもよい。これらの伝達関数は、非特許文献１に記載されている一般化結合行列理論より導出される。整合部品（Ｃ０１、Ｌ０１など）が、整合インピーダンス（つまり５０  Ｏｈｍ）とフィルタ伝達関数の仲立ちをするで、整合部品は下記を使用して容易に記述することができる：
ａ）比帯域幅（ＦＢＷ）、
ｂ）外部品質係数（Ｑｅｘｔ）、
ｃ）第１の共振器の周波数（ｆ１）
したがって、部品の種類およびその構成方法とは独立している。
【００６９】
図３は本発明の実施例を示す図であり、本発明の実施例にしたがった、バンド１２およびバンド６整合インダクタンス値を使用した、バンド１２送信フィルタの順方向伝送を示す。図はバンド１２の順方向伝送を示し、バンド６整合インダクタンス値を使用した場合のバンド１２の性能を、自分自身の整合インダクタンスで動作した場合のバンド１２の性能と比較したものである。バンド１２とバンド６を選択したのは、バンド１２がデュプレクサ３（表２を参照）に必要な最低の整合インダクタンス値を構成し、バンド６がより高い整合インダクタンス値を構成するからである。
【００７０】
本発明の実施例にしたがい、バンド１２用５ポール送信フィルタのための結合行列の例を以下の表４に示す。
［表４］バンド１２用５ポール送信フィルタのための結合配列
バンド１２の場合、ｍ０１=１.１２２１
2016523064.tif 000006
【００７１】
図４は本発明の実施例を示す図であり、本発明の実施例にしたがった、バンド１２およびバンド６整合インダクタンス値を使用した、バンド１２送信フィルタの入力反射係数を示す。図は、比較的大きく、十分な（Ｓ１１＜−１０ｄＢ）入力整合性能の違いを示している。
【００７２】
図５は本発明の実施例を示す図であり、本発明の実施例にしたがった、バンド３およびバンド４整合インダクタンス値を使用した、バンド３送信フィルタの順方向伝送を示す。図は、バンド３のインダクタンスが整合した場合のバンド３の順方向伝送と、バンド４のインダクタンスが整合した場合のバンド３の順方向伝送を示している。これらの結果、ならびに図６に示す同じ整合インダクタンス値を使用した場合の入力反射の結果は、単一の整合インダクタンス値を使用した高域フィルタ（つまりデュプレクサ１、表１参照）に対して、十分な性能が達成できることを示している。つまり、上記分類方法は、ＦＤＤ  ＬＴＥ動作と関連したすべてのＵＭＴＳ帯域が、各デュプレクサについての単一の整合インダクタンス値と中心周波数を基準にしてグループ化できることを示している。
【００７３】
本発明の実施例による、バンド３用５ポール送信フィルタのための結合行列の一例を以下の表５に示す。
［表５］  バンド３用５ポール送信フィルタのための結合配列
バンド３の場合、ｍ０１=１.１２４７
2016523064.tif 000007
【００７４】
図６は本発明の実施例を示す図であり、本発明の実施例にしたがった、バンド３およびバンド４整合インダクタンス値を使用した、バンド３送信フィルタの入力反射係数を示す。
【００７５】
本発明の実施例によれば、実際のハードウェア送信フィルタが、ある一つの時点ではバンド３の信号を通し、別の時点ではバンド４の信号を通すことができるようなバンドパスフィルタとして機能することができる。送信フィルタのハードウェア部品は調整可能であるため、バンド３の信号を通すように調整することができる。バンド３を通すようにフィルタ内のハードウェア部品を調整する場合、そのフィルタの特性はバンド３結合行列によって決定される。バンド４がバンド３とグループ化できるかどうかの判断は、送信フィルタ内の同じハードウェア部品が、別の時点で（異なる通信セッションで）バンド４の信号も通すように調整できるかどうかによる。
【００７６】
本発明の実施例による、そのような判断のための処理例の要約を以下に示す：
・  バンド３が特定の結合行列（たとえばＭＢ３）を持つ。
・  バンド４に合わせて再調整するため、新たな行列を合成する（たとえばＭＢ４）。
・  ＭＢ３とＭＢ４両方を使用して、非特許文献１に記載の方程式から、整合インダクター（たとえば、それぞれＬ＿ＭＢ３とＬ＿ＭＢ４）を決定する。
・  バンド３は、送信フィルタ１に対して最小値を持つ。バンド４は、送信フィルタ１に対し最大値を持つ。このように、バンド３がバンド４インダクター（Ｌ＿ＭＢ４）を使用して十分に動作できるかどうかがリトマス試験となる。
・  バンド４整合部品を使用して、バンド３、結合行列をシミュレートし、図で表す。その結果得られた性能が、同じ整合（つまり静的）部品を使用した帯域をグループ化できるかどうかのリトマス試験であり根拠となる。
【００７７】
本発明の実施例にしたがい、バンド４がバンド３送信フィルタとグループ化できるかどうかを判断するための一連の処理例、ならびにその結果としてのバンド３およびバンド４の整合パラメータを、以下の表６に示す。
［表６］バンド４をバンド３とグループ化するための一連の処理の例
2016523064.tif 000008
【００７８】
整合インダクタンスを基準にしてＵＭＴＳ帯域を分類することにより、帯域が略同じ整合条件を有するようになる。
【００７９】
図７は本発明の実施例示す図であり、チューナブル送信フィルタ回路４０Ｔｘの一例を示す。当業者であれば、チューナブルフィルタを実現するための多くの方法が存在することを理解するであろう。これは、チューナブルフィルタの制約のない１つの例である。示された実施例は、当該グループにグループ化された２つ以上の帯域信号を送信できるように選択インダクタンス値を調整したＴ形バンドパスフィルタである。図は、本発明に係わる、選択されたインダクタンス値に調整された送信フィルタ回路の一例を示す。チューナブル送信フィルタ４０Ｔｘは、第１のグループＧ１の特定の帯域が、所望の帯域の信号を通すように調整されている。たとえば、Ｌ０１インダクタンス値が第１のグループＧ１にグループ化されたＢ１帯域のＴｘ信号を通すように、チューナブル送信フィルタ４０Ｔｘを調整してもよい。Ｌ０１をＬ１インダクタンス値と呼ぶ。チューナブル送信フィルタ４０Ｔｘは、Ｂ１帯域のＴｘ信号を、送受信機５０の広帯域送信機Ｉ／Ｏポート５０Ｔｘからアンテナ３０に、通過させる。上記デュプレクサ４０内のチューナブル送信フィルタ回路４０ＴＸは、第１のグループＧ１の上記帯域Ｂ１、Ｂ２、Ｂ３、Ｂ４、Ｂ７、Ｂ１０およびＢ２５の少なくとも２つにおけるＴｘ信号を、送信機Ｉ／Ｏポート５０Ｔｘからアンテナ３０に通過させるように、それぞれ対応した少なくとも２つのインダクタンス値と略整合するインダクタンス値を持つように、調整することができてもよい。整合インダクタンスを基準にしてＵＭＴＳ帯域を分類することにより、帯域が略同じ整合条件を有するようになる。
【００８０】
本発明の実施例によれば、ユーザが所有する完成された携帯電話は、５つのチューナブルデュプレクサ４０、４２、４４、４６および４８の少なくとも１つを使用して設計・製造されたものでよい。たとえば、デュプレクサ４０の少なくとも１つにおける図７に示すチューナブル送信フィルタ４０ＴＸは、前記したように、Ｌ０１のインダクタンス値がグループＧ１内の帯域Ｂ１、Ｂ２、Ｂ３、Ｂ４、Ｂ７、Ｂ１０およびＢ２５の少なくとも２つの帯域のＴｘ信号を通すように設計・製造されていてもよい。上記グループＧ１内で局所的に利用可能なある帯域に合わせてチューナブル送信フィルタ４０ＴＸの帯域通過特性を微調整するために、図７の帯域通過回路の例に示すように、微調整帯域通過制御信号６０ＴＸを印加して、上記チューナブル送信フィルタ４０ＴＸ内の１つ以上のコンデンサの静電容量を調整してもよい。微調整帯域通過制御信号６０ＴＸは、モバイル・インダストリ・プロセッサ・インタフェース（Ｍｏｂｉｌｅ  Ｉｎｄｕｓｔｒｙ  Ｐｒｏｃｅｓｓｏｒ  Ｉｎｔｅｒｆａｃｅ）（ＭＩＰＩ）の方式、シグナリング特性、およびプロトコルを基礎にしてもよい。このように、チューナブル送信フィルタ４０ＴＸの帯域通過特性は、そのフィルタにより扱われる帯域グループ内の特定帯域が局所的に使用できるかどうかに基づいて、ユーザの電話内の微調整帯域通過制御信号６０ＴＸにより公称帯域通過特性近傍に微調整してもよい。
【００８１】
図８は機能ブロック図の一例であり、本発明の実施例による携帯電話の一例を示す。上記携帯電話の例は、デュアルコアまたはマルチコア中央演算処理装置ＣＰＵ＿１およびＣＰＵ＿２を含んでもよいプロセッサ１３４、ＲＡＭ記憶装置、ＲＯＭ記憶装置、およびキーパッド、表示装置、および他の入力／出力機器用インタフェースを含んでもよい。上記携帯電話の例は、電話ネットワークＭＡＣ  １４０、チューナブルデュプレクサ４０、４２、４４、４６および４８、およびスマートフォン応用プログラム１３６等の、プロトコルスタックを含んでもよい。上記携帯電話の例は、たとえば図１Ａおよび１Ｂのアンテナ３０、図１Ａおよび１Ｂのアンテナ３２、および／または図１Ｃのアンテナ３４等の１つ以上のアンテナを含んでもよい。セレクタ３６は、チューナブルデュプレクサ４０、４２、４４、４６および４８を、送受信機５０およびアンテナ３０、３２および／または３４に選択的に接続するように、プロセッサ１３４によって制御されてもよい。
【００８２】
本発明の実施例によれば、ＧＰＳモジュール等の位置判断モジュールは、地域無線周波数通信帯域が現在の地域で利用可能であると知られている場合に、携帯電話の現在の地域を判断するように構成される。プロセッサ１３４は、ＧＰＳ位置判断モジュールおよびチューナブルデュプレクサ４０、４２、４４、４６および４８に結合されてもよい。微調整帯域通過制御信号６０Ｔｘ等および６０Ｒｘ等を提供するようにプロセッサ１３４を構成し、判断された現在の地域で利用可能であると知られている地域無線周波数通信帯域に基づいて、チューナブルデュプレクサ４０、４２、４４、４６および４８内の対応するチューナブル送信フィルタ４０Ｔｘ、４２Ｔｘ、４４Ｔｘ、４６Ｔｘおよび対応する４８Ｔｘおよびチューナブル受信フィルタ４０Ｒｘ、４２Ｒｘ、４４Ｒｘ、４６Ｒｘおよび４８Ｒｘの帯域通過特性を微調整してもよい。図１Ａおよび１Ｂに示すように、プロセッサ１３４によりセレクタ３６を制御して、デュプレクサ４０および４２を高域アンテナ３０に、デュプレクサ４４、４６および４８を低域アンテナ３２に、選択的に接続してもよい。または、図１Ｃに示すように、プロセッサ１３４によりセレクタ３６を制御して、デュプレクサ４０、４２および４８を同一のアンテナ３４に選択的に接続してもよい。携帯電話内の上記位置判断モジュールは、携帯電話の現在の地域を判断するデータを受信するように構成された、ユーザインターフェイスまたは全地球測位システム（ＧＰＳ）受信機の少なくとも１つであってもよい。プロセッサ１３４内の記憶装置ＲＡＭまたはＲＯＭまたは取り外し可能な記憶装置１２６は、利用可能な既知の地域無線周波数通信帯域を記憶してもよい。または、プロセッサ１３４は、現在の地域データおよび利用可能な既知の地域無線周波数通信帯域を、送受信機５０を介して遠隔サーバからダウンロードするように、構成されてもよい。本発明の実施例によれば、携帯電話は、１つ以上のＵＭＴＳ  ＦＤＤ帯域をカバーする、図１Ａの５つのチューナブルデュプレクサ４０、４２、４４、４６および４８を含んでもよい。
【００８３】
本発明の実施例によれば、プロセッサ１３４は、デュプレクサ４０の少なくとも１つにおける、図７に示すチューナブル送信フィルタ４０ＴＸの帯域通過特性を微調整するように、構成されてもよい。上記グループＧ１内で局所的に利用可能なある帯域に合わせてチューナブル送信フィルタ４０ＴＸの帯域通過特性を微調整するために、図７の帯域通過回路の例に示すように、チューナブル送信フィルタ４０ＴＸ内の１つ以上のコンデンサの静電容量に印加される微調整帯域通過制御信号６０ＴＸを調整するようにプロセッサ１３４を構成してもよい。プロセッサ１３４は、モバイル・インダストリ・プロセッサ・インタフェース（Ｍｏｂｉｌｅ  Ｉｎｄｕｓｔｒｙ  Ｐｒｏｃｅｓｓｏｒ  Ｉｎｔｅｒｆａｃｅ）（ＭＩＰＩ）の方式、シグナリング特性、およびプロトコルに基づいて、微調整帯域通過制御信号６０ＴＸを生成してもよい。このように、チューナブル送信フィルタ４０ＴＸの帯域通過特性は、そのフィルタによって扱われる帯域グループ内の特定の帯域が局所的に使用できるかどうかに基づいて、プロセッサ１３４により生成された微調整帯域通過制御信号６０ＴＸによって、公称帯域通過特性近傍に調整されてもよい。
【００８４】
実施例では、上記インタフェース回路は、１つ以上の無線送受信機、電池およびその他の電源、キーパッド、タッチスクリーン、表示装置、マイクロフォン、スピーカ、イヤピース、カメラ、その他の撮像装置等、と接続してもよい。ＲＡＭおよびＲＯＭは、スマートカード、ＳＩＭ、ＷＩＭ等の取り外し可能な記憶装置１２６、ＲＡＭ、ＲＯＭ、ＰＲＯＭＳ、フラッシュメモリ等の半導体メモリ等、であってよい。プロセッサ・プロトコル・スタック階層および／または応用プログラムは、ＣＰＵで実行された時に実施例の機能を実行する一連のプログラム化された指示として、ＲＡＭおよび／またはＲＯＭ内に記憶されたプログラムロジックとして実現してもよい。上記プログラムロジックは、常駐記憶装置、スマートカード、またはその他の取り外し可能な記憶装置等のコンピュータ−で使用可能な媒体としてのコンピュータプログラム製品または製造品から、書き込み可能なＲＡＭ、ＰＲＯＭＳ、フラッシュメモリ等、に転送してもよい。または、プログラム化されたロジックアレイまたはカスタム設計された特定用途向け集積回路（ＡＳＩＣ）として、集積回路ロジックにより実現してもよい。機器内の１つ以上の無線器は、個別の送受信機回路であってよく、または、その１つ以上の無線器は、プロセッサに対して高速に反応しかつ時間・周波数多重化による方式で１つまたは複数のチャンネルを扱える単一のＲＦモジュールであってよい。取り外し可能な記憶媒体１２６の実施例は、磁気方式、電子方式および／または光学方式を基礎にしてもよい。取り外し可能な記憶媒体１２６の例としては、磁気ディスク、光ディスク、半導体メモリ回路機器およびマイクロＳＤメモリカード（ＳＤはＳｅｃｕｒｅ  Ｄｉｇｉｔａｌ  Ｓｔａｎｄａｒｄを表す）がある。取り外し可能な記憶媒体１２６は、この発明の少なくとも一つの実施形態にしたがった、コンピュータプログラム製品の一例としてのデータおよび／またはコンピュータプログラムコードを記憶してもよい。
【００８５】
図９は、本発明の実施例にしたがった携帯電話における、動作の流れ図の一例９００である。流れ図の各ステップは、中央演算処理装置（ＣＰＵ）により実行されたとき本発明の実施例の機能を実行する、無線機器ＡのＲＡＭおよび／またはＲＯＭ記憶装置に記憶されたコンピュータコード命令を表す。これらのステップは示された以外の順序で実行されてもよいし、個々のステップを分割したり他のステップと組み合わせてもよい。別のステップをこの流れ図に追加してもよい。方法の一例のステップは以下の通りである。
ステップ９０２：無線周波数通信の第１の複数の帯域と無線周波数通信の第２の複数の帯域が現在の地域において無線通信に利用可能であると装置により判断する。
ステップ９０４：上記第１の複数の帯域のうちの少なくとも２つの帯域にそれぞれ対応する少なくとも２つのインダクタンス値に略整合するインダクタンス値を有するように調整された、第１のチューナブルデュプレクサのチューナブル送信フィルタに基づいて、上記第１の複数の帯域のうちの上記少なくとも２つの帯域の通信信号を上記チューナブル送信フィルタによって通すことができると上記装置により判断する。
ステップ９０６：上記第２の複数の帯域のうちの少なくとも２つの帯域にそれぞれ対応する少なくとも２つのインダクタンス値に略整合するインダクタンス値を有するように調整された、第２のチューナブルデュプレクサの第２のチューナブル送信フィルタに基づいて、上記第２の複数の帯域のうちの上記少なくとも２つの帯域の通信信号を上記第２のチューナブル送信フィルタにより通すことができると上記装置により判断する。
ステップ９０８：上記第１の複数の帯域の上記少なくとも２つの帯域を上記第１のチューナブルデュプレクサに、および上記第２の複数の帯域の上記少なくとも２つの帯域を上記第２のチューナブルデュプレクサに、上記装置により接続する。
【００８６】
本発明の実施例に係わる、ＵＭＴＳ  ＦＤＤ帯域Ｎｏ．１〜Ｎｏ．２９に対応する周波数の一覧を以下の表７に表示する。番号で表された各帯域の送信（Ｔｘ）周波数および受信周波数（Ｒｘ）の一覧が、対応する帯域の低域境界周波数（ＦＬ）および高域境界周波数（ＦＵ）を表す列にそれぞれ表示されている。
［表７］
2016523064.tif 000009
【００８７】
本発明の実施例は、
無線周波数通信の第１の複数の帯域および無線周波数通信の第２の複数の帯域が現在の地域において無線通信に利用可能であると装置により判断する手段と、
上記第１の複数の帯域のうちの少なくとも２つの帯域にそれぞれ対応する少なくとも２つのインダクタンス値に略整合するインダクタンス値を有するように調整された、第１のチューナブルデュプレクサのチューナブル送信フィルタに基づいて、上記第１の複数の帯域のうちの上記少なくとも２つの帯域の通信信号を上記チューナブル送信フィルタによって通すことができると上記装置により判断する手段と、
上記第２の複数の帯域のうちの少なくとも２つの帯域にそれぞれ対応する少なくとも２つのインダクタンス値に略整合するインダクタンス値を有するように調整された、第２のチューナブルデュプレクサの第２のチューナブル送信フィルタに基づいて、上記第２の複数の帯域のうちの上記少なくとも２つの帯域の通信信号を上記第２のチューナブル送信フィルタにより通すことができると上記装置により判断する手段と、
上記第１の複数の帯域の上記少なくとも２つの帯域を上記第１のチューナブルデュプレクサに、および上記第２の複数の帯域の上記少なくとも２つの帯域を上記第２のチューナブルデュプレクサに、上記装置により接続する手段と、を備える装置を含む。
【００８８】
本発明の実施例は、
少なくとも１つのプロセッサ（１３４）と、
コンピュータプログラムコード（９０２、９０４、９０６、９０８）を含む少なくとも１つの記憶装置と、を含む装置（図８の携帯電話）であって、
上記少なくとも１つの記憶装置（ＲＡＭ／ＲＯＭ）および上記コンピュータプログラムコードにより、上記少なくとも１つのプロセッサを使用して、少なくとも、
無線周波数通信の第１の複数の帯域（Ｂ１、Ｂ２等）と無線周波数通信の第２の複数の帯域（Ｂ９、Ｂ１１等）が現在の地域において無線通信に利用可能であると判断し（９０２）、
上記第１の複数の帯域のうちの少なくとも２つの帯域にそれぞれ対応する少なくとも２つのインダクタンス値に略整合するインダクタンス値を有するように調整された、第１のチューナブルデュプレクサ（４０）のチューナブル送信フィルタに基づいて、上記第１の複数の帯域のうちの上記少なくとも２つの帯域の通信信号を上記チューナブル送信フィルタによって通すことができると判断し（９０４）、
上記第２の複数の帯域のうちの少なくとも２つの帯域にそれぞれ対応する少なくとも２つのインダクタンス値に略整合するインダクタンス値を有するように調整された、第２のチューナブルデュプレクサ（４２）の第２のチューナブル送信フィルタに基づいて、上記第２の複数の帯域のうちの上記少なくとも２つの帯域の通信信号を上記第２のチューナブル送信フィルタにより通すことができると判断し（９０６）、
上記第１の複数の帯域の上記少なくとも２つの帯域を上記第１のチューナブルデュプレクサに、および上記第２の複数の帯域の上記少なくとも２つの帯域を上記第２のチューナブルデュプレクサに、接続する（９０８、セレクタ３６およびアンテナ３０または３４）、装置（図８の携帯電話）である。
【００８９】
本発明の実施例によれば、無線ネットワークは他の種類のネットワークを含んでもよい。このようなネットワークの例として、ＧＳＭ（登録商標）、Ｗ−ＣＤＭＡ（登録商標）、ハイスピード・パケット・アクセス（Ｈｉｇｈ  Ｓｐｅｅｄ  Ｐａｃｋｅｔ  Ａｃｃｅｓｓ）（ＨＳＰＡ）、ロング・ターム・エボルーション（Ｌｏｎｇ  Ｔｅｒｍ  Ｅｖｏｌｕｔｉｏｎ）（ＬＴＥ）、ＬＴＥアドバンスト（ＬＴＥ  Ａｄｖａｎｃｅｄ）（ＬＴＥ−Ａ）、インターナショナル・モバイル・テレコミュニケーションズ・アドバンスト（Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ）（ＩＭＴ−Ａ）、ＣＤＭＡ、ワイヤレス・メトロポリタン・エリア・ネットワークス（Ｗｉｒｅｌｅｓｓ  Ｍｅｔｒｏｐｏｌｉｔａｎ  Ａｒｅａ  Ｎｅｔｗｏｒｋｓ）（ＷＭＡＮ）およびブロードバンド・ワイヤレス・アクセス（Ｂｒｏａｄｂａｎｄ  Ｗｉｒｅｌｅｓｓ  Ａｃｃｅｓｓ）（ＢＷＡ）（ＬＭＤＳ、  ＷｉＭＡＸ、  ＡＩＤＡＡＳおよび  ＨｉｐｅｒＭＡＮ）のようなセルラーシステム、または同種のネットワークがある。このようなネットワークの例として、Ｂｌｕｅｔｏｏｔｈ（登録商標）、Ｚｉｇｂｅｅ（登録商標）、ＩＥＥＥ  ８０２．１１、デジタル・エンハンスト・コードレス・テレコミュニケーションズ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）（ＤＥＣＴ）、ＨｉｐｅｒＬＡＮ、ラジオ・フリークエンシー・アイデンティフィケーション（Ｒａｄｉｏ  Ｆｒｅｑｕｅｎｃｙ  Ｉｄｅｎｔｉｆｉｃａｔｉｏｎ）（ＲＦＩＤ）、ワイヤレスＵＳＢ（Ｗｉｒｅｌｅｓｓ  ＵＳＢ）、ＤＳＲＣ（Ｄｅｄｉｃａｔｅｄ  Ｓｈｏｒｔ−ｒａｎｇｅ  Ｃｏｍｍｕｎｉｃａｔｉｏｎｓ（専用狭域通信））、ニア・フィールド・コミュニケーション（Ｎｅａｒ  Ｆｉｅｌｄ  Ｃｏｍｍｕｎｉｃａｔｉｏｎ）、ワイヤレス・センサ・ネットワーク、ＥｎＯｃｅａｎ；ＴｒａｎｓｆｅｒＪｅｔ、ウルトラワイドバンド（Ｕｌｔｒａ−ｗｉｄｅｂａｎｄ）（ＷｉＭｅｄｉａアライアンスによるＵＷＢ）、ＷＬＡＮ、ＷｉＦｉ、およびＨｉｐｅｒＬＡＮなどの狭域ネットワークがある。
【００９０】
本発明の実施例は、デュプレクサの数を、潜在的な２０個以上から全世界のＬＴＥネットワークで動作する送受話器を製造するのに必要な５個に、削減してもよい。
【００９１】
特定の実施例について説明してきたが、当業者は、本発明の精神と範囲から逸脱することなく、特定の実施例に変更を加えられることを理解するだろう。
【符号の説明】
【００９２】
２０、２０'  チューナブルＲＦフロントエンド
３０  高域アンテナ
３２  低域アンテナ
３６  セレクタ
４０，４２，４４，４６、４８  チューナブルデュプレクサ
５０、５０'  送受信機
５２  スイッチマトリクス
５４  チューナブル送受信機
１３４  プロセッサ
１３６  スマートフォン応用プログラム
１４０  電話ネットワークＭＡＣ
【図１Ａ】
2016523064.tif 000010
【図１Ｂ】
2016523064.tif 000011
【図１Ｃ】
2016523064.tif 000012
【図１Ｄ】
2016523064.tif 000013
【図１Ｅ】
2016523064.tif 000014
【図２】
2016523064.tif 000015
【図３】
2016523064.tif 000016
【図４】
2016523064.tif 000017
【図５】
2016523064.tif 000018
【図６】
2016523064.tif 000019
【図７】
2016523064.tif 000020
【図８】
2016523064.tif 000021
【図９】
2016523064.tif 000022
【国際調査報告】
2016523064.tif 000023
2016523064.tif 000024
2016523064.tif 000025